(57)【特許請求の範囲】
【請求項１】
複数の情報機器を接続して該情報機器間の接続切替を行う物理配線切替装置を制御する物理配線制御装置であって、
前記物理配線切替装置には異なるサブネットワークに属する情報機器が接続され、
前記異なるサブネットワークに属する情報機器と通信可能なネットワークアドレスを記憶するネットワークアドレス記憶手段と、
前記ネットワークアドレス記憶手段によって記憶されたネットワークアドレスに基づいて自身のネットワークアドレスを変更することにより前記異なるサブネットワークに属する情報機器の機器情報を取得する機器情報取得手段と
を備えたことを特徴とする物理配線制御装置。
【請求項２】
複数の情報機器を接続して該情報機器間の接続切替を行う物理配線切替装置を制御する物理配線制御装置に用いる物理配線制御方法であって、
前記物理配線切替装置には異なるサブネットワークに属する情報機器が接続され、
前記異なるサブネットワークに属する情報機器と通信可能なネットワークアドレスを記憶するネットワークアドレス記憶手段に記憶されたネットワークアドレスに基づいて自身のネットワークアドレスを変更することにより前記異なるサブネットワークに属する情報機器の機器情報を取得する機器情報取得工程
を含んだことを特徴とする物理配線制御方法。
【請求項３】
複数の情報機器を接続して該情報機器間の接続切替を行う物理配線切替装置を制御する物理配線制御装置に実行させる物理配線制御プログラムであって、
前記物理配線切替装置には異なるサブネットワークに属する情報機器が接続され、
前記物理配線制御装置に、
前記異なるサブネットワークに属する情報機器と通信可能なネットワークアドレスを記憶するネットワークアドレス記憶手段に記憶されたネットワークアドレスに基づいて自身のネットワークアドレスを変更することにより前記異なるサブネットワークに属する情報機器の機器情報を取得する機器情報取得手順
を実行させることを特徴とする物理配線制御プログラム。
【請求項４】
複数の情報機器を接続して該情報機器間の接続切替を行う物理配線切替装置を制御する物理配線制御装置であって、
前記物理配線切替装置には異なるサブネットワークに属する情報機器が接続され、
異なるネットワークアドレスが設定された複数の接続ポートと、
前記異なるサブネットワークに属する情報機器と通信可能な接続ポートを記憶する接続ポート記憶手段と、
前記接続ポート記憶手段によって記憶された接続ポートに基づいて前記複数の接続ポートから通信に使用する接続ポートを選択することにより前記異なるサブネットワークに属する情報機器の機器情報を取得する機器情報取得手段と
を備えたことを特徴とする物理配線制御装置。
【請求項５】
複数の情報機器を接続して該情報機器間の接続切替を行う物理配線切替装置を制御する物理配線制御装置に用いる物理配線制御方法であって、
前記物理配線切替装置には異なるサブネットワークに属する情報機器が接続されるとともに異なるネットワークアドレスが設定された複数の接続ポートが設けられ、
前記異なるサブネットワークに属する情報機器と通信可能な接続ポートを記憶する接続ポート記憶手段によって記憶された接続ポートに基づいて前記複数の接続ポートから通信に使用する接続ポートを選択することにより前記異なるサブネットワークに属する情報機器の機器情報を取得する機器情報取得工程
を含んだことを特徴とする物理配線制御方法。
【請求項６】
複数の情報機器を接続して該情報機器間の接続切替を行う物理配線切替装置を制御する物理配線制御装置に実行させる物理配線制御プログラムであって、
前記物理配線切替装置には異なるサブネットワークに属する情報機器が接続されるとともに異なるネットワークアドレスが設定された複数の接続ポートが設けられ、
前記物理配線制御装置に、
前記異なるサブネットワークに属する情報機器と通信可能な接続ポートを記憶する接続ポート記憶手段によって記憶された接続ポートに基づいて前記複数の接続ポートから通信に使用する接続ポートを選択することにより前記異なるサブネットワークに属する情報機器の機器情報を取得する機器情報取得手順
を実行させることを特徴とする物理配線制御プログラム。
【発明の詳細な説明】
【技術分野】
【０００１】
この発明は、複数の情報機器を接続して該情報機器間の接続切替を行う物理配線切替装置を制御する物理配線制御装置、物理配線制御方法および物理配線制御プログラムに関し、特に、複数の異なるサブネットワークから構成されるネットワークにおいて、異なるサブネットワークに属する情報機器が物理配線切替装置に接続された場合でも、それぞれの情報機器から機器情報を取得することができる物理配線制御装置、物理配線制御方法および物理配線制御プログラムに関するものである。
【背景技術】
【０００２】
近年の伝送信号の高速化およびネットワークの広域化に伴い、ＬＡＮ（Local Area Network）やＳＡＮ（Storage Area Network）等において、広帯域性および低損失性を備えた光ファイバを伝送媒体とする光ネットワークが構築されている。
【０００３】
例えば、これらのＬＡＮおよびＳＡＮが混在するネットワークとして、データセンタ内ネットワークが挙げられる。かかるデータセンタ内の光配線は、一般に、パッチパネルと呼ばれる、光アダプタが並べられた光配線盤を用いて管理されており、光経路切替については、人手によりファイバコネクタを挿抜することで実現し、配線管理については、ファイバ両端へのタグ付けおよび手入力による接続状態記録にて行っている。
【０００４】
したがって、光ネットワークシステムの構築および変更、または、障害発生に伴う光ファイバの接続変更では、一般に、光ファイバの接続機器確認用タグ付け、配線図更新、接続確認などの煩雑な作業が伴う。そのため、かかるネットワーク環境管理手法では、これらの作業に多くの工数が必要となる。
【０００５】
そこで、光接続される光通信インタフェースを有する情報機器に関する情報を取得して、当該情報機器の接続管理を自動化することにより、作業に要する時間を短縮することができる光配線切替装置およびその管理制御装置が考案されている（例えば、特願２００４−１００７９６参照。）。
【発明の開示】
【発明が解決しようとする課題】
【０００６】
しかしながら、最近では、ネットワーク規模の拡大に伴い、複数の異なるサブネットワークから構成される大規模ネットワークシステムが増えてきている。このような大規模ネットワークシステムに前述した光配線切替装置のような物理配線切替装置を導入する場合、これを制御する物理配線制御装置のネットワークアドレスを固定したままでは、当該ネットワークアドレスと異なるサブネットワークに属する情報機器からは情報を取得することができないという問題がある。
【０００７】
この発明は、上述した従来技術による問題点を解消するためになされたものであり、複数の異なるサブネットワークから構成されるネットワークにおいて、異なるサブネットワークに属する情報機器が物理配線切替装置に接続された場合でも、それぞれの情報機器から機器情報を取得することができる物理配線制御装置、物理配線制御方法および物理配線制御プログラムを提供することを目的とする。
【課題を解決するための手段】
【０００８】
上述した課題を解決し、目的を達成するため、開示の物理配線制御装置は、複数の情報機器を接続して該情報機器間の接続切替を行う物理配線切替装置を制御する物理配線制御装置であって、前記物理配線切替装置には異なるサブネットワークに属する情報機器が接続され、前記異なるサブネットワークに属する情報機器と通信可能なネットワークアドレスを記憶するネットワークアドレス記憶手段と、前記ネットワークアドレス記憶手段によって記憶されたネットワークアドレスに基づいて自身のネットワークアドレスを変更することにより前記異なるサブネットワークに属する情報機器の機器情報を取得する機器情報取得手段とを備える。
【０００９】
また、開示の物理配線制御方法は、複数の情報機器を接続して該情報機器間の接続切替を行う物理配線切替装置を制御する物理配線制御装置に用いる物理配線制御方法であって、前記物理配線切替装置には異なるサブネットワークに属する情報機器が接続され、前記異なるサブネットワークに属する情報機器と通信可能なネットワークアドレスを記憶するネットワークアドレス記憶手段に記憶されたネットワークアドレスに基づいて自身のネットワークアドレスを変更することにより前記異なるサブネットワークに属する情報機器の機器情報を取得する機器情報取得工程を含む。
【００１０】
また、開示の物理配線制御プログラムは、複数の情報機器を接続して該情報機器間の接続切替を行う物理配線切替装置を制御する物理配線制御装置に実行させる物理配線制御プログラムであって、前記物理配線切替装置には異なるサブネットワークに属する情報機器が接続され、前記物理配線制御装置に、前記異なるサブネットワークに属する情報機器と通信可能なネットワークアドレスを記憶するネットワークアドレス記憶手段に記憶されたネットワークアドレスに基づいて自身のネットワークアドレスを変更することにより前記異なるサブネットワークに属する情報機器の機器情報を取得する機器情報取得手順を実行させる。
【００１１】
また、開示の物理配線制御装置は、複数の情報機器を接続して該情報機器間の接続切替を行う物理配線切替装置を制御する物理配線制御装置であって、前記物理配線切替装置には異なるサブネットワークに属する情報機器が接続され、異なるネットワークアドレスが設定された複数の接続ポートと、前記異なるサブネットワークに属する情報機器と通信可能な接続ポートを記憶する接続ポート記憶手段と、前記接続ポート記憶手段によって記憶された接続ポートに基づいて前記複数の接続ポートから通信に使用する接続ポートを選択することにより前記異なるサブネットワークに属する情報機器の機器情報を取得する機器情報取得手段とを備える。
【００１２】
また、開示の物理配線制御方法は、複数の情報機器を接続して該情報機器間の接続切替を行う物理配線切替装置を制御する物理配線制御装置に用いる物理配線制御方法であって、前記物理配線切替装置には異なるサブネットワークに属する情報機器が接続されるとともに異なるネットワークアドレスが設定された複数の接続ポートが設けられ、前記異なるサブネットワークに属する情報機器と通信可能な接続ポートを記憶する接続ポート記憶手段によって記憶された接続ポートに基づいて前記複数の接続ポートから通信に使用する接続ポートを選択することにより前記異なるサブネットワークに属する情報機器の機器情報を取得する機器情報取得工程を含む。また、開示の物理配線制御プログラムは、複数の情報機器を接続して該情報機器間の接続切替を行う物理配線切替装置を制御する物理配線制御装置に実行させる物理配線制御プログラムであって、前記物理配線切替装置には異なるサブネットワークに属する情報機器が接続されるとともに異なるネットワークアドレスが設定された複数の接続ポートが設けられ、前記物理配線制御装置に、前記異なるサブネットワークに属する情報機器と通信可能な接続ポートを記憶する接続ポート記憶手段によって記憶された接続ポートに基づいて前記複数の接続ポートから通信に使用する接続ポートを選択することにより前記異なるサブネットワークに属する情報機器の機器情報を取得する機器情報取得手順を実行させる。
【発明の効果】
【００１３】
開示の装置、方法およびプログラムによれば、前記物理配線切替装置には異なるサブネットワークに属する情報機器が接続され、これら異なるサブネットワークに属する情報機器の機器情報を取得するよう構成したので、複数の異なるサブネットワークから構成されるネットワークにおいて、各サブネットワークに属する情報機器から機器情報を取得することができるという効果を奏する。
【００１４】
また、開示の装置、方法およびプログラムによれば、異なるサブネットワークに属する情報機器と通信可能なネットワークアドレスを記憶し、記憶したネットワークアドレスに基づいて自身のネットワークアドレスを変更することにより異なるサブネットワークに属する情報機器の機器情報を取得するよう構成したので、異なるサブネットワークに属する情報機器が物理配線切替装置に接続された場合でも、各情報機器から自動的に機器情報を取得することができるという効果を奏する。
【００１５】
また、開示の装置、方法およびプログラムによれば、異なるネットワークアドレスが設定された複数の接続ポートを備え、異なるサブネットワークに属する情報機器と通信可能な接続ポートを記憶し、記憶した接続ポートに基づいて複数の接続ポートから通信に使用する接続ポートを選択することにより異なるサブネットワークに属する情報機器の機器情報を取得するよう構成したので、異なるサブネットワークに属する情報機器が物理配線切替装置に接続された場合でも、各情報機器から自動的に機器情報を取得することができるという効果を奏する。
【発明を実施するための最良の形態】
【００１６】
以下に添付図面を参照して、この発明に係る物理配線制御装置、物理配線制御方法および物理配線制御プログラムの好適な実施例を詳細に説明する。なお、本実施例では、物理配線切替装置として光スイッチを用い、また、機器情報としてＩＰ（Internet Protocol）アドレスを取得する場合を説明する。
【実施例１】
【００１７】
まず、本実施例１に係る光スイッチ制御装置による接続機器アドレス取得方法について説明する。図１は、本実施例１に係る光スイッチ制御装置による接続機器アドレス取得方法を説明するための説明図である。
【００１８】
同図に示すように、光インタフェースを有する各種情報機器（ＩＴ機器）が接続され、各ＩＴ機器間の光接続を行う光スイッチには、光スイッチ内部の接続切替を制御する光スイッチ制御装置と、接続されたＩＴ機器から光パワーを検出するパワーモニタとが接続されている。
【００１９】
光スイッチは、ＩＴ機器が接続されるｎ個の機器接続用ポートと、パワーモニタが接続されるパワーモニタ用ポートと、光スイッチ制御装置が接続される制御装置接続用ポートとを備えている。これらのポートは、光スイッチ制御装置からの制御によって、相互の接続切り替えが行われる。
【００２０】
パワーモニタは、光スイッチ内部でパワーモニタ用ポートと機器接続用ポートが接続されると、当該機器接続用ポートに接続されているＩＴ機器からの光パワーを検知して光スイッチ制御装置に光パワー情報を送信する。
【００２１】
なお、パワーモニタ用ポートは、光スイッチ制御装置によって機器接続用ポート１〜ｎに巡回的に接続するよう制御される。そのため、パワーモニタは、機器接続用ポート１〜ｎに接続されているＩＴ機器の光パワー情報を順次光スイッチ制御装置に送信することができる。
【００２２】
光スイッチ制御装置は、送信された光パワー情報をもとにいずれかの機器接続用ポートに新たなＩＴ機器が接続されたと判断した場合は、当該機器接続用ポートの接続先をパワーモニタ用ポートから制御装置接続用ポートに切り替えて、アドレス情報取得処理を行う。そして、アドレス情報取得処理が終わった後は、当該機器接続用ポートを再度パワーモニタ用ポートに接続して前述の巡回処理を再開する。
【００２３】
ここで、例えば、ＩＴ機器Ａが光スイッチの機器接続用ポート１に接続された場合のアドレス取得処理について説明する。この場合、まず、パワーモニタ用ポートが、機器接続用ポート１〜ｎに巡回接続される間に、機器接続用ポート１に接続されたタイミングで、ＩＴ機器Ａからの光パワーを検出して光スイッチ制御装置に光パワー情報を送信する。
【００２４】
光スイッチ制御装置は、パワーモニタからＩＴ機器Ａの光パワー情報を受信し、前回受信した機器接続用ポート１の光パワーと比べて変化が大きいことから、機器接続用ポート１に新たなＩＴ機器Ａが接続されたと判定する。そして、光スイッチ制御装置は、光スイッチを制御して機器接続用ポート１の接続先をパワーモニタ用ポートから制御装置接続用ポートに切り替える。
【００２５】
さらに、光スイッチ制御装置は、あらかじめ機器接続用ポートごとに記憶している制御装置設定用アドレスから、機器接続用ポート１に対応するアドレスを取得し、機器情報取得用ポートのＩＰアドレスとして設定する。そして、光スイッチ制御装置は、光スイッチを介してＩＴ機器Ａと通信を行い、ＩＴ機器ＡのＩＰアドレスを取得する。
【００２６】
このように、本実施例１に係る光スイッチ制御装置は、あらかじめ記憶している制御装置設定用アドレスの情報に基づいて、ＩＴ機器が接続された機器接続ポートに応じて機器情報取得用ポートのＩＰアドレスを適宜変更することによって、複数の異なるサブネットワークの機器が光スイッチに接続された場合でも、ＩＴ機器のＩＰアドレスを取得することができる。
【００２７】
次に、本実施例１に係る光スイッチ制御装置の構成について説明する。図２は、本実施例１に係る光スイッチ制御装置の構成を示す機能ブロック図である。同図に示すように、この光スイッチ制御装置１００は、光スイッチ２０と、パワーモニタ３０に接続されている。ここで、光スイッチ制御装置１００は、機器情報取得用ポート１１０を介して光スイッチ２０と接続されており、さらに、これとは別に、光スイッチ２０の各ポート間の接続切替を制御するための光スイッチ制御線を介して光スイッチ２０と接続されている。
【００２８】
光スイッチ２０は、機器接続用ポート２１1〜２１nと、パワーモニタ用ポート２２と、制御装置接続用ポート２３とを備え、光スイッチ制御装置からの制御により、各ポート間の接続切替を行う装置である。この光スイッチ２０は、パワーモニタ用ポート２２を介してパワーモニタ３０と接続され、制御装置接続用ポート２３を介して光スイッチ制御装置１００と接続されている。なお、機器接続用ポート２１1〜２１mには、ＩＴ機器１０1〜１０mが接続されている。
【００２９】
パワーモニタ３０は、光スイッチに接続された各ＩＴ機器１０1〜１０mからの光パワーを検出し、光パワー情報として光スイッチ制御装置１００に送信する装置である。
【００３０】
光スイッチ制御装置１００は、光スイッチ２０を制御して光スイッチ２０に接続されるＩＴ機器間の接続切替えを行うことにより、ネットワークトポロジーを変更する装置である。この光スイッチ制御装置１００は、機器情報取得用ポート１１０を備え、当該ポートを介して光スイッチと接続されている。
【００３１】
また、光スイッチ制御装置１００は、光パワー情報受信部１２０と、光スイッチ制御部１３０と、アドレス情報記憶部１４０と、制御装置ポート設定部１５０と、機器情報取得部１６０と、制御部１８０とを有する。
【００３２】
光パワー情報受信部１２０は、光スイッチ２０の各機器接続用ポート２１1〜２１nに新たなＩＴ機器が接続されたか否かを判定する処理部である。具体的には、この光パワー情報受信部１２０は、パワーモニタ３０から送信される光パワー情報を受信して機器接続用ポートごとに光パワーの増減を監視し、所定量の増加を検出した場合は、新たなＩＴ機器が当該機器接続用ポートに接続されたと判定する。
【００３３】
光スイッチ制御部１３０は、光スイッチ２０を制御して光スイッチ２０に接続されるＩＴ機器間の接続切替を行う処理部である。例えば、この光スイッチ制御部１３０は、光スイッチ２０を制御してパワーモニタ用ポート２２を機器接続用ポート２１1〜２１nに巡回的に接続してゆくことによって、パワーモニタ３０が、各機器接続用ポートの光パワーを順次検知できるようにする。
【００３４】
そして、光スイッチ制御部１３０は、光パワー情報受信部１２０によって、光スイッチ２０のいずれかの機器接続用ポートに新たなＩＴ機器が接続されたと判定された場合、当該機器接続用ポートの接続先を、パワーモニタ用ポート２２から光スイッチ制御用ポート２３に切り替える。
【００３５】
アドレス情報記憶部１４０は、光スイッチ２０の機器接続用ポート２１1〜２１nに接続されるＩＴ機器と通信する際に必要となるアドレス情報を記憶する記憶部である。図３は、本実施例１に係るアドレス情報記憶部１４０の一例を示す図である。同図に示すように、このアドレス情報記憶部１４０は、光スイッチ２０の機器接続用ポート２１1〜２１nに対応する機器接続用ポート番号と、ＩＴ機器の名称を示す接続機器名と、ＩＴ機器に設定されているＩＰアドレスを示す接続機器アドレスと、機器情報取得用ポート１１０に設定するための制御装置設定用アドレスとを、機器接続用ポートごとに記憶している。
【００３６】
このアドレス情報記憶部１４０が、光スイッチ２０の各機器接続用ポートに接続されるＩＴ機器に応じた接続機器アドレスと制御装置設定用アドレスとをあらかじめ記憶しておくことにより、光スイッチ制御装置１００は、機器情報取得用ポート１１０のＩＰアドレスを適宜変更し、複数の異なるネットワークに属するＩＴ機器と通信を行うことができる。
【００３７】
制御装置ポート設定部１５０は、機器情報取得用ポート１１０のＩＰアドレスを変更する処理部である。具体的には、この制御装置ポート設定部１５０は、光パワー受信部１２０が光スイッチのいずれかの機器接続用ポートに新たなＩＴ機器が接続されたと判定した場合に、当該機器接続用ポートに対応する制御装置設定用アドレスをアドレス情報記憶部１４０から取得し、当該アドレスに基づいて機器情報取得用ポート１１０のＩＰアドレスを変更する。
【００３８】
機器情報取得部１６０は、光スイッチ２０に接続されたＩＴ機器から、当該ＩＴ機器に設定されたＩＰアドレスを取得する処理部である。具体的には、この機器情報取得部１６０は、ＩＴ機器が接続された機器接続用ポートに対応する接続機器アドレスをアドレス情報記憶部１４０から取得し、取得した接続機器アドレスを指定してpingコマンドを実行する。そして、当該コマンドに対する応答結果をもとに、光スイッチに接続されたＩＴ機器のＩＰアドレスを確認する。
【００３９】
制御部１８０は、光スイッチ制御装置１００全体の制御を行う処理部であり、具体的には、機能部間の制御の移動や機能部と記憶部の間のデータの受け渡しなどを行うことによって、光スイッチ制御装置１００を一つの装置として機能させる。
【００４０】
次に、本実施例１に係る光スイッチ制御装置１００による接続機器アドレス取得処理の処理手順について説明する。図４は、本実施例１に係る光スイッチ制御装置１００による接続機器アドレス取得処理の処理手順を示すフローチャートである。
【００４１】
同図に示すように、この光スイッチ制御装置１００では、光スイッチ制御部１３０が、光スイッチ２０を制御してパワーモニタ用ポート２２を機器接続用ポート２１1〜２１nに巡回的に接続する。そして、光パワー情報受信部１２０が、パワーモニタ３０から送信される光パワー情報を受信し、新たなＩＴ機器が接続されたと判定した場合は（ステップＳ１０１，Ｙｅｓ）、光スイッチ制御部１３０が光スイッチ２０を制御して当該ＩＴ機器が接続された機器接続用ポートと制御装置接続用ポート２３とを接続する（ステップＳ１０２）。
【００４２】
また、制御装置ポート設定部１５０が、当該ＩＴ機器が接続された機器接続用ポートに対応する制御装置設定用アドレスをアドレス情報記憶部１４０から取得し、取得した制御装置設定用アドレスに基づいて機器情報取得用ポート１１０のＩＰアドレスを変更する（ステップＳ１０３）。
【００４３】
そして、機器情報取得部１６０が、当該ＩＴ機器が接続された機器接続用ポートに対応する接続機器アドレスをアドレス情報記憶部１４０から取得し、取得した接続機器アドレスを指定してpingコマンドを実行する（ステップＳ１０４）。
【００４４】
pingコマンドに対して応答があった場合には（ステップＳ１０５，Ｙｅｓ）、応答結果をもとに当該ＩＴ機器のＩＰアドレスを確認する（ステップＳ１０６）。
【００４５】
その後、光スイッチ制御部１３０が、光スイッチ２０を制御して当該ＩＴ機器が接続された機器接続用ポートの接続先を制御装置接続用ポート２３からパワーモニタ用ポート２２に戻し、パワーモニタ用ポート２２と機器接続用ポート２１1〜２１nの巡回接続を再開することにより、ステップＳ１０１以降の処理が繰り返し行われる。
【００４６】
なお、本実施例１では、パワーモニタ用ポートを巡回的に機器接続用ポート２１1〜２１nに接続する例を説明したが、複数のパワーモニタを用いて、各機器接続用ポート２１1〜２１nと１対１になるように接続し、それぞれに接続されるＩＴ機器の光パワーを検知するように構成してもよい。
【００４７】
また、本実施例１では、アドレス情報記憶部１４０は、接続機器アドレスと制御装置設定用アドレスとを各機器接続用ポートに対応付けて記憶し、かかるアドレス情報に基づいてＩＴ機器と通信を行うよう構成したが、アドレス情報と機器接続ポートとの対応付けを行わず、複数記憶している制御装置設定用アドレスに基づいて機器情報取得用ポート１１０のＩＰアドレスを順次変更しながら、ＩＴ機器と通信を行うこともできる。
【００４８】
図５は、本実施例１に係る機器接続用ポートごとにアドレスを設定しない場合のアドレス情報記憶部１４０の一例を示す図である。同図に示すように、この場合、アドレス情報記憶部１４０は、光スイッチに接続される可能性があるＩＴ機器のサブネットワークごとに、制御装置設定用アドレスを記憶する。
【００４９】
ここで、機器接続用ポートごとにアドレスを設定しない場合の接続機器アドレス取得処理の処理手順について説明する。図６は、機器接続用ポートごとにアドレスを設定しない場合の接続機器アドレス取得処理の処理手順を示すフローチャートである。
【００５０】
同図に示すように、まず、光スイッチ制御部１３０が、光スイッチ２０を制御してパワーモニタ用ポート２２を機器接続用ポート２１1〜２１nに巡回的に接続する。そして、光パワー情報受信部１２０が、パワーモニタ３０から送信される光パワー情報を受信し、新たなＩＴ機器が接続されたと判定した場合は（ステップＳ２０１，Ｙｅｓ）、光スイッチ制御部１３０が光スイッチ２０を制御して当該ＩＴ機器が接続された機器接続用ポートと制御装置接続用ポート２３とを接続する（ステップＳ２０２）。
【００５１】
また、制御装置ポート設定部１５０が、アドレス情報記憶部１４０に記憶された制御装置設定用アドレスから１つ目のアドレスを取得し、取得した制御装置設定用アドレスに基づいて機器情報取得用ポート１１０のＩＰアドレスを変更する（ステップＳ２０３）。
【００５２】
そして、機器情報取得部１６０が、機器情報取得用ポート１１０に設定した制御装置設定用アドレスと同じサブネットワークのブロードキャストアドレスを指定してbroadcast pingコマンドを実行する（ステップＳ２０４）。
【００５３】
broadcast pingコマンドに対して応答があった場合は（ステップＳ２０５，Ｙｅｓ）、応答結果をもとに当該ＩＴ機器のＩＰアドレスを取得する（ステップＳ２０６）。一方、応答が無かった場合は（ステップＳ２０５，Ｎｏ）、アドレス情報記憶部１４０から順次制御装置設定用アドレスを取得してＩＴ機器情報取得用ポートを変更し、当該アドレスと同じサブネットワークのブロードキャストアドレスに対してpingコマンドの実行を繰り返す（ステップＳ２０７，Ｎｏ、ステップＳ２０８）。
【００５４】
ここで、アドレス情報記憶部１４０に記憶された全ての制御装置設定用アドレスについて確認しても応答が無かった場合は（ステップＳ２０７，Ｙｅｓ）、制御装置接続用ポート２３の接続先を接続先機器接続用ポート２１1〜２１nに順番に切り替えながら（ステップＳ２１０）、ステップＳ２０３からステップＳ２０８の処理を繰り返す。
【００５５】
ＩＴ機器から応答があった場合、または、全ての機器接続用ポートを確認しても応答が無かった場合は、光スイッチ制御部１３０が、当該ＩＴ機器が接続された機器接続用ポートの接続先を、制御装置接続用ポート２３からパワーモニタ用ポート２２に戻し、パワーモニタ用ポート２２と機器接続用ポート２１1〜２１nの巡回接続を再開することにより、ステップＳ２０１以降の処理が繰り返し行われる。
【００５６】
また、ここでは、機器情報取得用ポート１１０のＩＰアドレスを順次変更してpingコマンドを実行した後に、機器接続用ポートを切り替えて再度pingコマンドを実行するよう構成したが、機器接続用ポートの切り替えを先に行うよう構成することもできる。
【００５７】
図７は、機器接続用ポートの切り替えによる判定を先に行う場合の接続機器アドレス取得処理の処理手順を示すフローチャートである。ここで、同図に示すステップＳ３０１、Ｓ３０２、Ｓ３０３、Ｓ３０４の処理は、それぞれ、図６に示したＳ２０１、Ｓ２０３、Ｓ２０２、Ｓ２０４と同様であるため、説明を省略する。
【００５８】
broadcast pingコマンドを実行した結果、応答が無かった場合は（ステップＳ３０５，Ｎｏ）、まず、光スイッチ２０を制御し、制御装置接続用ポート２３の接続先を機器接続用ポート２１1〜２１nに順次切り替えてＩＴ機器に対してbroadcast pingコマンドを実行し、ＩＰアドレスの取得を試みる（ステップＳ３０７、ステップＳ３０８）。ここで、全ての機器接続用ポートに切り替えてもＩＴ機器から応答が無かった場合は、アドレス情報記憶部１４０に記憶された制御装置設定用アドレスに基づいて機器情報取得用ポート１１０のＩＰアドレスを順次変更し、再度機器接続用ポートを切り替えながらbroadcast pingコマンドの実行を繰り返す（ステップＳ３０７〜ステップＳ３１０）。
【００５９】
このように、制御装置ポート設定部１５０が、アドレス情報記憶部１４０に記憶された制御装置設定用アドレスに基づいて、機器情報取得用ポート１１０のＩＰアドレスを変更することにより、光スイッチ制御装置１００は、複数の異なるネットワークに属するＩＴ機器と通信を行うことができる。
【００６０】
上述してきたように、本実施例１では、光パワー情報受信部１２０が、パワーモニタ３０から送信される光パワー情報を受信し、新たなＩＴ機器が光スイッチ２０に接続されたと判定した場合は、光スイッチ制御部１３０が、光スイッチ２０を制御して当該ＩＴ機器と光スイッチ制御装置１００を接続し、制御装置ポート設定部１５０が、アドレス情報記憶部１４０の制御装置設定用アドレスに基づいて機器情報取得用ポート１１０のＩＰアドレスを変更し、機器情報取得部１６０が、当該ＩＴ機器のＩＰアドレスを取得することとしたので、光スイッチ制御装置１００は、複数の異なるネットワークのＩＴ機器が光スイッチに接続された場合でも、各ＩＴ機器から自動的に機器情報（ＩＰアドレス）を取得または確認することができる。
【実施例２】
【００６１】
ところで、上記実施例１では、光スイッチ制御装置１００の機器情報取得用ポート１１０を、アドレス情報記憶部１４０に記憶された光制御装置設定用アドレスで変更することにより、複数の異なるサブネットワークに接続されたＩＴ機器からＩＰアドレスを取得する場合を説明した。
【００６２】
しかしながら、光スイッチ制御装置１００に複数の機器情報取得用ポートが備えられている場合は、それぞれに異なるサブネットネットワークのアドレスをあらかじめ設定しておくこともできる。
【００６３】
そこで、本実施例２では、光スイッチ制御装置１００に備えられた複数の機器情報取得用ポートから、ＩＴ機器との通信に用いるポートを適宜選択することによって、複数の異なるサブネットワークに接続されたＩＴ機器からＩＰアドレスを取得する場合について説明する。
【００６４】
まず、本実施例２に係る光スイッチ制御装置による接続機器アドレス取得方法について説明する。図８は、本実施例２に係る光スイッチ制御装置による接続機器アドレス取得方法を説明するための説明図である。
【００６５】
同図に示すように、光スイッチ制御装置には、複数の機器情報取得用ポートが備えられており、光スイッチに備えられた複数の制御装置接続用ポートにそれぞれ接続されている。
【００６６】
光スイッチ制御装置は、光スイッチの機器接続用ポート１に新たなＩＴ機器が接続されたと判定した場合は、あらかじめ機器接続用ポートごとに記憶している機器情報取得用ポート情報から機器接続用ポート１に対応する機器情報取得用ポートを取得する。
【００６７】
さらに、光スイッチを制御し、機器接続用ポート１の接続先をパワーモニタ用ポートから、上記で取得した機器情報取得用ポートに接続されている制御装置接続用ポートに切り替える。そして、光スイッチ制御装置は、光スイッチを介してＩＴ機器Ａと通信を行い、ＩＴ機器ＡのＩＰアドレスを取得する。
【００６８】
このように、本実施例２に係る光スイッチ制御装置は、あらかじめ記憶している機器情報取得用ポートの情報に基づいて、ＩＴ機器が接続された機器接続ポートに応じて機器情報取得用ポートを変更することによって、複数の異なるサブネットワークの機器が光スイッチに接続された場合でも、ＩＴ機器のＩＰアドレスを取得することができる。
【００６９】
次に、本実施例２に係る光スイッチ制御装置の構成について説明する。図９は、本実施例２に係る光スイッチ制御装置の構成を示す機能ブロック図である。なお、ここでは説明の便宜上、図２に示した各部と同様の役割を果たす機能部については同一符号を付すこととしてその詳細な説明を省略する。
【００７０】
図９に示すように、この光スイッチ制御装置２００は、光スイッチ２０とパワーモニタ３０に接続されている。ここで、光スイッチ制御装置２００は、機器情報取得用ポート２１０1〜２１０kを介して光スイッチ２０と接続されており、さらに、これとは別に、光スイッチ２０の各ポート間の接続を制御するための光スイッチ制御線を介して光スイッチ２０と接続されている。
【００７１】
光スイッチ２０は、制御装置接続用ポート２３1〜２３kを備え、それぞれが、光スイッチ制御装置２００の機器情報取得用ポート２１０1〜２１０kと接続されている。
【００７２】
光スイッチ制御装置２００は、光スイッチ２０を制御して光スイッチ２０に接続されるＩＴ機器間の接続切替えを行うことにより、ネットワークトポロジーを変更する装置である。この光スイッチ制御装置２００は、光パワー情報受信部１２０と、光スイッチ制御部２３０と、アドレス情報記憶部２４０と、制御装置ポート設定部２５０と、機器情報取得部１６０と、制御部２８０とを有する。
【００７３】
光スイッチ制御部２３０は、光スイッチ２０を制御して光スイッチ２０に接続されるＩＴ機器間の接続切替を行う処理部である。例えば、この光スイッチ制御部２３０は、光スイッチ２０を制御してパワーモニタ用ポート２２を機器接続用ポート２１1〜２１nに巡回的に接続してゆくことによって、パワーモニタ３０が、各機器接続用ポートの光パワーを順次検知できるようにする。
【００７４】
そして、光スイッチ制御部２３０は、光パワー情報受信部１２０によって、光スイッチ２０のいずれかの機器接続用ポートに新たなＩＴ機器が接続されたと判定された場合、光スイッチ２０を制御し、ＩＴ機器が接続された機器接続用ポートの接続先を、パワーモニタ用ポート２２から、当該機器接続用ポートに対応する制御装置接続用ポートに切り替える。ここで接続先となる制御装置接続用ポートは、後述する制御装置ポート設定部２５０によって取得された制御装置設定用ポートが示す機器情報取得用ポートと接続されている制御装置接続用ポートである。
【００７５】
この光スイッチ制御部２３０が、ＩＴ機器が接続された機器接続用ポートに応じて機器情報取得用ポート２１０1〜２１０kおよび制御装置接続用ポート２３1〜２３kを変更することによって、複数の異なるサブネットワークの機器が光スイッチに接続された場合でも、ＩＴ機器のＩＰアドレスを取得することができる。
【００７６】
アドレス情報記憶部２４０は、光スイッチ２０の機器接続用ポート２１1〜２１nごとに、対応する機器情報取得用ポートの情報を記憶する記憶部である。図１０は、本実施例２に係るアドレス情報記憶部２４０の一例を示す図である。同図に示すように、このアドレス情報記憶部２４０は、光スイッチ２０の機器接続用ポート２１1〜２１nに対応する機器接続用ポート番号と、ＩＴ機器の名称接続機器名と、ＩＴ機器に設定されているＩＰアドレスを示す接続機器アドレスと、機器接続用ポート２１1〜２１nに対応する機器情報取得用ポート２１０1〜２１０kを示す制御装置設定用ポートとを、機器接続用ポートごとに記憶している。ここで、例えば、制御装置設定用ポートが「ａ」は、図９に示した機器情報取得用ポート２１０1と対応している。
【００７７】
制御装置ポート設定部２５０は、機器情報取得用ポート２１０1〜２１０kからＩＴ機器との通信に使用するポートを選択する処理部である。具体的には、この制御ポート設定部１５０は、光パワー受信部１２０が光スイッチの機器接続用ポートに新たなＩＴ機器が接続されたと判定した場合に、当該機器接続用ポートに対応する制御装置設定用ポートをアドレス情報記憶部２４０から取得し、光スイッチ制御部２３０に通知する。
【００７８】
制御部２８０は、光スイッチ制御装置２００全体の制御を行う処理部であり、具体的には、機能部間の制御の移動や機能部と記憶部の間のデータの受け渡しなどを行うことによって、光スイッチ制御装置２００を一つの装置として機能させる。
【００７９】
なお、本実施例２では、アドレス情報記憶部２４０は、接続機器アドレスと制御装置設定用ポートとを各機器接続用ポートに対応付けて記憶し、かかるポート情報に基づいてＩＴ機器と通信を行うよう構成したが、ポート情報と機器接続ポートとの対応付けを行わず、複数記憶している制御装置設定用ポートに基づいて機器情報取得用ポート２１０1〜２１０kを順次用いながら、ＩＴ機器と通信を行うこともできる。
【００８０】
図１１は、本実施例２に係る機器接続用ポートごとにアドレスを設定しない場合のアドレス情報記憶部２４０の一例を示す図である。同図に示すように、この場合、アドレス情報記憶部２４０は、光スイッチにＩＴ機器が接続される可能性のあるサブネットワークごとに、対応する機器情報取得用ポートを記憶する。
【００８１】
上述してきたように、本実施例２では、光スイッチ制御部２３０が、光スイッチ２０を制御して当該ＩＴ機器と光スイッチ制御装置２００を接続し、制御装置ポート設定部２５０が、アドレス情報記憶部２４０に記憶された制御装置設定用ポートに基づいて機器情報取得用ポート２１０1〜２１０kを変更することとしたので、光スイッチ制御装置２００は、複数の異なるネットワークのＩＴ機器が光スイッチに接続された場合でも、各ＩＴ機器から自動的に機器情報（ＩＰアドレス）を取得または確認することができる。
【実施例３】
【００８２】
上記実施例１では、光スイッチ制御装置１００の機器情報取得用ポート１１０のＩＰアドレスを変更することにより、ＩＴ機器からＩＰアドレスを取得する場合を説明した。また、上記実施例２では、光スイッチ制御装置２００に備えられた複数の機器情報取得用ポート２１０1〜２１０kからＩＴ機器との通信に使用するポートを変更することにより、ＩＴ機器からＩＰアドレスを取得する場合を説明した。
【００８３】
しかしながら、大規模ネットワークにおいて複数のサブネットワークを連結する場合には、パケット転送装置を用いてＩＰアドレスを変換することにより、異なるサブネットワーク間の接続を実現する場合がある。
【００８４】
そこで、本実施例３では、光スイッチの機器接続用ポートと、光スイッチ制御装置の機器情報取得用ポートとの間にレイヤ３スイッチやルータなどのパケット転送装置を挿入することにより、複数の異なるサブネットワークに接続されたＩＴ機器からＩＰアドレスを取得する場合について説明する。
【００８５】
まず、本実施例３に係る光スイッチ制御装置による接続機器アドレス取得方法について説明する。図１２は、本実施例３に係る光スイッチ制御装置による接続機器アドレス取得方法を説明するための説明図である。
【００８６】
同図に示すように、光スイッチ制御装置は、光スイッチを介してパケット転送装置と接続されている。ここで、パケット転送装置は、光スイッチのパケット転送装置入力用ポートおよびパケット転送装置出力用ポートに接続されている。また、光スイッチ内では、パケット転送装置入力用ポートと、制御装置接続用ポートとが接続されている。
【００８７】
光スイッチ制御装置は、光スイッチの機器接続用ポート１に新たなＩＴ機器が接続されたと判定した場合は、光スイッチを制御し、機器接続用ポート１の接続先を、パワーモニタ用ポートから、パケット転送装置出力用ポートに切り替える。そして、光スイッチ制御装置は、パケット転送装置を介してＩＰアドレスを変換することにより、ＩＴ機器Ａと通信を行い、ＩＴ機器ＡのＩＰアドレスを取得する。
【００８８】
このように、本実施例３に係る光スイッチ制御装置は、接続されたＩＴ機器と光スイッチ制御装置とをパケット転送装置を介して接続し、機器情報取得用ポートのＩＰアドレスを自動的に変換することによって、複数の異なるサブネットワークの機器が光スイッチに接続された場合でも、ＩＴ機器のＩＰアドレスを取得することができる。
【００８９】
次に、本実施例３に係る光スイッチ制御装置の構成について説明する。図１３は、本実施例３に係る光スイッチ制御装置の構成を示す機能ブロック図である。なお、ここでは説明の便宜上、図２に示した各部と同様の役割を果たす機能部については同一符号を付すこととしてその詳細な説明を省略する。
【００９０】
図１３に示すように、この光スイッチ制御装置３００は、光スイッチ２０と、パワーモニタ３０に接続されている。ここで、光スイッチ制御装置３００は、機器情報取得用ポート１１０を介して光スイッチ２０と接続されており、さらに、これとは別に、光スイッチ２０の各ポート間の接続を制御するための光スイッチ制御線を介して光スイッチ２０と接続されている。また、光スイッチ２０には、パケット転送装置４０が接続されている。
【００９１】
光スイッチ２０は、パケット転送装置出力用ポート２４と、パケット転送装置入力用ポート２５とを備え、それぞれが、パケット転送装置４０と接続されている。また、パケット転送装置出力用ポート２５は、光スイッチ２０内で、制御装置接続用ポート２３に接続されている。
【００９２】
光スイッチ制御装置３００は、光スイッチ２０を制御して光スイッチ２０に接続されるＩＴ機器間の接続切替えを行うことにより、ネットワークトポロジーを変更する装置である。この光スイッチ制御装置３００は、光パワー情報受信部１２０と、光スイッチ制御部３３０と、アドレス情報記憶部３４０と、機器情報取得部１６０と、制御部３８０とを有する。
【００９３】
光スイッチ制御部３３０は、光スイッチ２０を制御して光スイッチ２０に接続されるＩＴ機器間の接続切替を行う処理部である。例えば、この光スイッチ制御部３３０は、光パワー情報受信部１２０によって、光スイッチ２０のいずれかの機器接続用ポートに新たなＩＴ機器が接続されたと判定された場合、光スイッチを制御し、ＩＴ機器が接続された機器接続用ポートの接続先を、パワーモニタ用ポートから、レイヤスイッチ３出力用ポート２４に切り替える。
【００９４】
この光スイッチ制御部３３０が、光スイッチに接続されたＩＴ機器と光スイッチ制御装置３００とをパケット転送装置４０を介して接続し、機器情報取得用ポート１１０のＩＰアドレスを自動的に変換することによって、複数の異なるサブネットワークの機器が光スイッチに接続された場合でも、ＩＴ機器のＩＰアドレスを取得することができる。
【００９５】
アドレス情報記憶部３４０は、光スイッチ２０の機器接続用ポートごとに、当該ポートに接続されると想定される接続機器のアドレス情報を記憶する記憶部である。図１４は、本実施例３に係るアドレス情報記憶部３４０の一例を示す図である。同図に示すように、このアドレス情報記憶部３４０は、機器接続用ポート番号と、接続機器名と、接続機器アドレスとを、機器接続用ポートごとに記憶している。
【００９６】
制御部３８０は、光スイッチ制御装置３００全体の制御を行う処理部であり、具体的には、機能部間の制御の移動や機能部と記憶部の間のデータの受け渡しなどを行うことによって、光スイッチ制御装置３００を一つの装置として機能させる。
【００９７】
次に、本実施例３に係る光スイッチ制御装置３００による接続機器アドレス取得処理の処理手順について説明する。図１５は、本実施例３に係る光スイッチ制御装置３００による接続機器アドレス取得処理の処理手順を示すフローチャートである。
【００９８】
同図に示すように、この光スイッチ制御装置３００では、光スイッチ制御部３３０が、光スイッチ２０を制御してパワーモニタ用ポート２２を機器接続用ポート２１1〜２１nに巡回的に接続する。そして、光パワー情報受信部１２０が、パワーモニタ３０から送信される光パワー情報を受信し、新たなＩＴ機器が接続されたと判定した場合は（ステップＳ４０１，Ｙｅｓ）、光スイッチ制御部３３０が光スイッチ２０を制御して当該ＩＴ機器が接続された機器接続用ポートとレイヤ３出力用ポート２４とを接続する（ステップＳ４０２）。
【００９９】
そして、機器情報取得部１６０が、当該ＩＴ機器が接続された機器接続用ポートに対応する接続機器アドレスをアドレス情報記憶部３４０から取得し、取得した接続機器アドレスに対してpingコマンドを実行する（ステップＳ４０３）。
【０１００】
pingコマンドに対して応答があった場合には（ステップＳ４０４，Ｙｅｓ）、応答結果をもとに当該ＩＴ機器のＩＰアドレスを確認する（ステップＳ４０５）。
【０１０１】
その後、光スイッチ制御部３３０が、光スイッチ２０を制御して当該ＩＴ機器が接続された機器接続用ポートの接続先をレイヤ３出力用ポート２４からパワーモニタ用ポート２２に戻し、パワーモニタ用ポート２２と機器接続用ポート２１1〜２１nの巡回接続を再開することにより、ステップＳ４０１以降の処理が繰り返し行われる。
【０１０２】
また、本実施例３では、アドレス情報記憶部３４０は、接続機器アドレスを各機器接続用ポートに対応付けて記憶し、かかる接続機器アドレスを指定してＩＴ機器と通信を行うよう構成したが、アドレス情報と機器接続ポートとの対応付けを行わず、複数記憶している接続機器アドレスを順次指定しながら、ＩＴ機器と通信を行うこともできる。
【０１０３】
図１６は、本実施例３に係る機器接続用ポートごとにアドレスを設定しない場合のアドレス情報記憶部３４０の一例を示す図である。同図に示すように、この場合、アドレス情報記憶部３４０は、光スイッチに接続される可能性のある機器ごとに、当該機器のＩＰアドレスを記憶する。
【０１０４】
ここで、機器接続用ポートごとにアドレスを設定しない場合の接続機器アドレス取得処理の処理手順について説明する。図１７は、機器接続用ポートごとにアドレスを設定しない場合の接続機器アドレス取得処理の処理手順を示すフローチャートである。
【０１０５】
同図に示すように、まず、光スイッチ制御部３３０が、光スイッチ２０を制御してパワーモニタ用ポート２２を機器接続用ポート２１1〜２１nに巡回的に接続する。そして、光パワー情報受信部１２０が、パワーモニタ３０から送信される光パワー情報を受信し、新たなＩＴ機器が接続されたと判定した場合は（ステップＳ５０１，Ｙｅｓ）、光スイッチ制御部３３０が光スイッチ２０を制御して当該ＩＴ機器が接続された機器接続用ポートとレイヤ３出力用ポート２４とを接続する（ステップＳ５０２）。
【０１０６】
そして、機器情報取得部１６０が、アドレス情報記憶部１４０に記憶された接続機器アドレスから１つ目のアドレスを取得し（ステップＳ５０３）、当該アドレスと同じサブネットワークのブロードキャストアドレスを指定してbroadcast pingコマンドを実行する（ステップＳ５０４）。
【０１０７】
broadcast pingコマンドに対して応答があった場合は（ステップＳ５０５，Ｙｅｓ）、応答結果をもとに当該ＩＴ機器のＩＰアドレスを取得する（ステップＳ５０６）。一方、応答が無かった場合は（ステップＳ５０５，Ｎｏ）、アドレス情報記憶部１４０から順次接続機器アドレスを取得し、broadcast pingコマンドの実行を繰り返す（ステップＳ５０７，Ｎｏ、ステップＳ５０８）。
【０１０８】
ＩＴ機器から応答があった場合、または、全ての機器接続用ポートを確認しても応答が無かった場合は、当該ＩＴ機器が接続された機器接続用ポートの接続先を、レイヤ３出力用ポート２４からパワーモニタ用ポート２２に戻し、パワーモニタ用ポート２２と機器接続用ポート２１1〜２１nの巡回接続を再開することにより、ステップＳ５０１以降の処理が繰り返し行われる。
【０１０９】
上述してきたように、本実施例３では、光スイッチ制御部３３０が、光スイッチ２０を制御して当該ＩＴ機器と光スイッチ制御装置３００とをパケット転送装置４０を介して接続することとしたので、光スイッチ制御装置３００は、複数の異なるネットワークのＩＴ機器が光スイッチに接続された場合でも、各ＩＴ機器から自動的に機器情報（ＩＰアドレス）を取得または確認することができる。
【０１１０】
なお、本実施例３では、レイヤ３スイッチやルータなどのパケット転送装置を用いる場合について説明したが、本発明はこれに限定されるものではなく、パケット転送装置以外の、アドレスを変換する機能を備えた機器（アドレス変換機器）を用いた場合にも同様に適用することができる。
【実施例４】
【０１１１】
上記実施例１〜３では、光スイッチ制御装置がpingコマンドを実行することにより、ＩＴ機器からＩＰアドレスを取得する場合を説明した。しかしながら、光スイッチに接続されるＩＴ機器が、パワーモニタを備え、光スイッチ制御装置からの光パワーを検知した契機で自発的に情報を発信することもできる。
【０１１２】
そこで、本実施例４では、光スイッチに接続されたＩＴ機器にパワーモニタを付加し、
それぞれのＩＴ機器が自発的にＳＮＭＰ（Simple Network Management Protocol）信号を発信することによって、光スイッチ制御装置が、複数の異なるサブネットワークに接続されたＩＴ機器からＩＰアドレスを取得する場合について説明する。
【０１１３】
まず、本実施例４に係る光スイッチ制御装置による接続機器アドレス取得方法について説明する。図１８は、本実施例４に係る光スイッチ制御装置による接続機器アドレス取得方法を説明するための説明図である。
【０１１４】
同図に示すように、光スイッチに接続されるＩＴ機器には、パワーモニタが備えられている。各ＩＴ機器は、光スイッチ制御装置からの光パワーを検知した場合は、それを契機にＳＮＭＰ信号を発信するようにあらかじめ設定されている。また、光スイッチ制御装置には、ネットワークに伝わるＳＮＭＰ信号を検知する機能が付加されている。
【０１１５】
光スイッチ制御装置は、光スイッチの機器接続用ポート１に新たなＩＴ機器Ａが接続されたと判定した場合は、光スイッチを制御し、機器接続用ポート１の接続先を、パワーモニタ用ポートから、制御装置接続用ポートに切り替える。すると、接続されたＩＴ機器Ａは、光スイッチ制御装置からの光パワーを検出し、それを契機にＳＮＭＰ信号を発信する。そして、光スイッチ制御装置は、ＩＴ機器Ａが送信したＳＮＭＰ信号を検出し、当該ＳＮＭＰ信号よりＩＴ機器ＡのＩＰアドレスを取得する。
【０１１６】
このように、本実施例４に係る光スイッチ制御装置は、パワーモニタを備えたＩＴ機器が光スイッチ制御装置の光パワーを検出した契機で発信するＳＮＭＰ信号を検出し、検出したＳＮＭＰ信号から当該ＩＴ機器のＩＰアドレスを取得することによって、複数の異なるサブネットワークの機器が光スイッチに接続された場合でも、ＩＴ機器のＩＰアドレスを取得することができる。
【０１１７】
次に、本実施例４に係る光スイッチ制御装置の構成について説明する。図１９は、本実施例４に係る光スイッチ制御装置の構成を示す機能ブロック図である。なお、ここでは説明の便宜上、図２に示した各部と同様の役割を果たす機能部については同一符号を付すこととしてその詳細な説明を省略する。
【０１１８】
図１９に示すように、光スイッチに接続されるＩＴ機器５０1〜５０mには、ＩＴ機器パワーモニタ５１1〜５１mがそれぞれ備えられている。これらのＩＴ機器パワーモニタ５１1〜５１mは、光スイッチの機器接続用ポート２１1〜２１mから、光パワーを検知する。そして、ＩＴ機器５０1〜５０mは、それぞれのＩＴ機器パワーモニタ５１1〜５１mが光パワーを検知した場合は、それを契機に、ＳＮＭＰ信号を発信するように設定されている。
【０１１９】
光スイッチ制御装置４００は、光スイッチ２０を制御して光スイッチ２０に接続されるＩＴ機器間の接続切替えを行うことにより、ネットワークトポロジーを変更する装置である。この光スイッチ制御装置４００は、光パワー情報受信部１２０と、光スイッチ制御部１３０と、機器情報取得部４６０と、制御部４８０とを有する。
【０１２０】
機器情報取得部４６０は、光スイッチに接続されたＩＴ機器から、ＩＰアドレスを取得する処理部である。具体的には、この機器情報取得部１６０は、ＩＴ機器が発信するＳＮＭＰ信号を、光スイッチを介して検知し、さらに、検知したＳＮＭＰ信号からＩＰアドレスを取得する。
【０１２１】
この機器情報取得部４６０が、パワーモニタ５１1〜５１mを備えたＩＴ機器５０1〜５０mが発信するＳＮＭＰ信号を検出し、検出したＳＮＭＰ信号から当該ＩＴ機器のＩＰアドレスを取得することによって、複数の異なるサブネットワークの機器が光スイッチに接続された場合でも、ＩＴ機器のＩＰアドレスを取得することができる。
【０１２２】
制御部４８０は、光スイッチ制御装置４００全体の制御を行う処理部であり、具体的には、機能部間の制御の移動や機能部と記憶部の間のデータの受け渡しなどを行うことによって、光スイッチ制御装置４００を一つの装置として機能させる。
【０１２３】
次に、本実施例４に係る光スイッチ制御装置４００による接続機器アドレス取得処理の処理手順について説明する。図２０は、本実施例４に係る光スイッチ制御装置４００による接続機器アドレス取得処理の処理手順を示すフローチャートである。
【０１２４】
同図に示すように、この光スイッチ制御装置４００では、光スイッチ制御部１３０が、光スイッチ２０を制御してパワーモニタ用ポート２２を機器接続用ポート２１1〜２１nに巡回的に接続する。そして、光パワー情報受信部１２０が、パワーモニタ３０から送信される光パワー情報を受信し、新たなＩＴ機器が接続されたと判定した場合は（ステップＳ６０１，Ｙｅｓ）、光スイッチ制御部１３０が光スイッチ２０を制御して当該ＩＴ機器が接続された機器接続用ポートと制御装置接続用ポート２３とを接続する（ステップＳ６０２）。
【０１２５】
そして、機器情報取得部４６０が、ＩＴ機器が光スイッチ制御装置４００の光パワーを検知した契機で発信するＳＮＭＰ信号を検出する（ステップＳ６０３）。さらに、機器情報取得部４６０が、検出したＳＮＭＰ信号から当該ＩＴ機器のＩＰアドレスを取得する（ステップＳ６０４）。
【０１２６】
そして、光スイッチ制御部１３０が、当該ＩＴ機器が接続された機器接続用ポートの接続先を、制御装置接続用ポート２３からパワーモニタ用ポート２２に戻し、パワーモニタ用ポート２２と機器接続用ポート２１1〜２１nの巡回接続を再開することにより、ステップＳ６０１以降の処理が繰り返し行われる。
【０１２７】
上述してきたように、本実施例４では、当該ＩＴ機器が光スイッチ制御装置４００の光パワーを検出した契機で送信するＳＮＭＰ信号を機器情報取得部４６０が検出し、当該ＩＴ機器のＩＰアドレスを取得することとしたので、光スイッチ制御装置４００は、複数の異なるネットワークのＩＴ機器が光スイッチに接続された場合でも、各ＩＴ機器から自動的に機器情報（ＩＰアドレス）を取得することができる。
【実施例５】
【０１２８】
ところで、上記実施例１〜４では、光スイッチに接続されるＩＴ機器には、あらかじめＩＰアドレスが設定されている場合を説明した。しかしながら、ネットワークシステムによっては、ＤＨＣＰ（Dynamic Host Configuration Protocol）サーバなどのアドレス付与機器を用いて、ネットワークに接続されるＩＴ機器に対して自動的にＩＰアドレスを割り当てる場合もある。
【０１２９】
そこで、本実施例５では、アドレス付与機器によって、光スイッチに接続されるＩＴ機器のＩＰアドレスが自動的に割り当てられる場合について説明する。なお、本実施例５では、アドレス付与機器にＤＨＣＰサーバを用いた場合について説明する。
【０１３０】
まず、本実施例５に係る光スイッチ制御装置による接続機器アドレス取得方法について説明する。図２１−１は、本実施例５に係る光スイッチ制御装置による接続機器アドレス取得方法を説明するための説明図（１）である。
【０１３１】
同図に示すように、光スイッチには、ＤＨＣＰサーバが接続されている。このＤＨＣＰサーバは、光スイッチを介してＩＴ機器が接続されると、当該ＩＴ機器に対して、自動的にＩＰアドレスを割り振る。また、このＤＨＣＰサーバは、光スイッチ制御装置にも接続されている。
【０１３２】
光スイッチ制御装置は、光スイッチの機器接続用ポート１に新たなＩＴ機器が接続されたと判定した場合は、光スイッチを制御し、機器接続用ポート１の接続先を、パワーモニタ用ポートから、制御装置接続用ポートに切り替える。そして、ＩＴ機器が発信するＤＨＣＰサーバ探索信号を検出し、当該信号からＩＴ機器の物理アドレス（ＭＡＣアドレス）を取得する。
【０１３３】
物理アドレスを取得した後、光スイッチ制御装置は、光スイッチを制御し、機器接続用ポート１の接続先を、制御装置接続用ポートから、当該物理アドレスに対応するＤＨＣＰサーバ用ポートに切り替える。すると、ＤＨＣＰサーバによってＩＴ機器Ａに対してＩＰアドレスが割り振られる。そして、光スイッチ制御装置は、ＤＨＣＰサーバから、当該機器に割り当てられたＩＰアドレスを取得する。
【０１３４】
なお、図２１−１では、光スイッチ制御装置がＤＨＣＰサーバを参照することによってＩＰアドレスを取得する例を示したが、ＤＨＣＰサーバがＩＴ機器に対してＩＰアドレスを割り振ると同時に、光スイッチ制御装置に当該ＩＰアドレスの情報を送信するよう構成してもよい。図２１−２は、本実施例５に係る光スイッチ制御装置による接続機器アドレス取得方法を説明するための説明図（２）である。同図に示すように、この場合は、光スイッチ制御装置とＤＨＣＰサーバとを光スイッチを介して接続し、ＤＨＣＰサーバが、ＩＴ機器に対してＩＰアドレスを割り振る（アドレス付与パケットを送信する）と同時に、光スイッチ制御装置に当該ＩＰアドレスの情報を送信する。
【０１３５】
このように、本実施例５に係る光スイッチ制御装置は、光スイッチを制御して、ＩＴ機器と当該ＩＴ機器に対応するＤＨＣＰサーバとを接続し、ＤＨＣＰサーバが当該ＩＴ機器にＩＰアドレスを割り振った後に、ＤＨＣＰサーバを参照して当該ＩＴ機器のＩＰアドレスを取得することによって、複数の異なるサブネットワークの機器が光スイッチに接続された場合でも、ＩＴ機器のＩＰアドレスを取得することができる。
【０１３６】
次に、本実施例５に係る光スイッチ制御装置の構成について説明する。図２２は、本実施例５に係る光スイッチ制御装置の構成を示す機能ブロック図である。なお、ここでは説明の便宜上、図２に示した各部と同様の役割を果たす機能部については同一符号を付すこととしてその詳細な説明を省略する。
【０１３７】
図２２に示すように、光スイッチ２０は、ＤＨＣＰサーバ用ポート２６を備えており、このＤＨＣＰサーバ用ポート２６において、ＤＨＣＰサーバ６０と接続されている。また、ＤＨＣＰサーバ６０は、光スイッチ制御装置５００とも接続されている。
【０１３８】
ＤＨＣＰサーバ６０は、ネットワークに接続されたＩＴ機器に対して、自動的にＩＰアドレスを割り振る装置である。このＤＨＣＰサーバは、光スイッチ２０を介してＩＴ機器と接続されると、当該ＩＴ機器に対して自動的にＩＰアドレスを割り振る。ここで、図２２では、説明の都合上、１台のＤＨＣＰサーバのみを示したが、光スイッチ制御装置５００には、光スイッチに接続されるＩＴ機器に応じて、複数台接続される。
【０１３９】
光スイッチ制御装置５００は、光スイッチ２０を制御して光スイッチ２０に接続されるＩＴ機器間の接続切替えを行うことにより、ネットワークトポロジーを変更する装置である。この光スイッチ制御装置５００は、光パワー情報受信部１２０と、光スイッチ制御部５３０と、機器情報取得部５６０と、アドレス情報取得部５７０と、制御部５８０とを有する。
【０１４０】
光スイッチ制御部５３０は、光スイッチ２０を制御して光スイッチ２０に接続されるＩＴ機器間の接続切替を行う処理部である。例えば、この光スイッチ制御部５３０は、光パワー情報受信部１２０によって、光スイッチ２０のいずれかの機器接続用ポートに新たなＩＴ機器が接続されたと判定された場合、光スイッチを制御し、当該ＩＴ機器が接続された機器接続用ポートの接続先を、パワーモニタ用ポート２２から、制御装置接続用ポート２３に切り替える。
【０１４１】
また、光スイッチ制御部５３０は、光スイッチ２０に接続されるＩＴ機器１０1〜１０mの物理アドレスとＤＨＣＰサーバ６０の対応付けをあらかじめ記憶しており、後述する機器情報取得部５６０によって、いずれかのＩＴ機器の物理アドレスが検出された場合は、当該物理アドレスに対応するＤＨＣＰサーバ６０を判定する。そして、ＩＴ機器が接続された機器接続用ポートの接続先を、制御装置接続用ポート２３から、当該物理アドレスに対応するＤＨＣＰサーバ６０が接続されているＤＨＣＰサーバ用ポート２６に切り替える。
【０１４２】
機器情報取得部５６０は、ＩＴ機器が発信するＤＨＣＰ探索信号を検出し、当該機器の物理アドレスを取得する処理部である。具体的には、この機器情報取得部５６０は、ＩＴ機器が光スイッチに接続された際に発信するＤＨＣＰサーバ探索信号を検出し、検出したＤＨＣＰサーバ探索信号から、当該ＩＴ機器の物理アドレスを取得する。
【０１４３】
アドレス情報取得部５７０は、ＤＨＣＰサーバ６０から、ＩＴ機器に割り振られたＩＰアドレスを取得する処理部である。具体的には、このアドレス情報取得部５７０は、ＩＴ機器が光スイッチに接続された際に、ＤＨＣＰサーバ６０を参照し、当該ＩＴ機器に割り振られたＩＰアドレスを取得する。
【０１４４】
制御部５８０は、光スイッチ制御装置５００全体の制御を行う処理部であり、具体的には、機能部間の制御の移動や機能部と記憶部の間のデータの受け渡しなどを行うことによって、光スイッチ制御装置５００を一つの装置として機能させる。
【０１４５】
次に、本実施例５に係る光スイッチ制御装置５００による接続機器アドレス取得処理の処理手順について説明する。図２３は、本実施例５に係る光スイッチ制御装置５００による接続機器アドレス取得処理の処理手順を示すフローチャートである。
【０１４６】
同図に示すように、この光スイッチ制御装置５００では、光スイッチ制御部１３０が、光スイッチ２０を制御してパワーモニタ用ポート２２を機器接続用ポート２１1〜２１nに巡回的に接続する。そして、光パワー情報受信部１２０が、パワーモニタ３０から送信される光パワー情報を受信し、新たなＩＴ機器が接続されたと判定した場合は（ステップＳ７０１，Ｙｅｓ）、光スイッチ制御部５３０が光スイッチ２０を制御して当該ＩＴ機器が接続された機器接続用ポートと制御装置接続用ポート２３とを接続する（ステップＳ７０２）。
【０１４７】
そして、機器情報取得部５６０が、ＩＴ機器が光スイッチに接続されたタイミングで発信するＤＨＣＰサーバ探索信号を検出し、当該ＩＴ機器の物理アドレスを取得する（ステップＳ７０３）。
【０１４８】
そして、光スイッチ制御部５３０が、光スイッチ２０を制御して当該ＩＴ機器が接続された機器接続用ポートと、当該ＩＴ機器の物理アドレスに対応するＤＨＣＰサーバ用ポーとを接続する（ステップＳ７０４）。ここで、ＤＨＣＰサーバによって、当該ＩＴ機器に対してＩＰアドレスが割り振られる。
【０１４９】
そして、アドレス情報取得部５７０が、ＤＨＣＰサーバより、当該ＩＴ機器に割り振られたＩＰアドレスを取得する。（ステップＳ７０５）。
【０１５０】
そして、光スイッチ制御部５３０が、当該ＩＴ機器が接続された機器接続用ポートの接続先を、制御装置接続用ポート２３からパワーモニタ用ポート２２に戻し、パワーモニタ用ポート２２と機器接続用ポート２１1〜２１nの巡回接続を再開することにより、ステップＳ７０１以降の処理が繰り返し行われる。
【０１５１】
このように、機器情報取得部５６０が、光スイッチ２０に接続されたＩＴ機器が発するＤＨＣＰサーバ探索信号を検出することによって、当該ＩＴ機器とＤＨＣＰサーバ６０を接続し、アドレス情報取得部５７０が、ＤＨＣＰサーバ６０を参照することによって、光スイッチ制御装置１００は、複数の異なるネットワークに属するＩＴ機器に割り当てられるＩＰアドレスを取得することができる。
【０１５２】
上述してきたように、本実施例５では、光パワー情報受信部１２０が、パワーモニタ３０から送信される光パワー情報を受信し、新たなＩＴ機器が光スイッチ２０に接続されたと判定した場合は、光スイッチ制御部５３０が、光スイッチ２０を制御して当該ＩＴ機器と光スイッチ制御装置５００を接続し、機器情報取得部５６０が、当該ＩＴ機器が発信するＤＨＣＰサーバ探索信号から当該ＩＴ機器の物理アドレスを検出し、光スイッチ制御部５３０が、光スイッチ２０をさらに制御して当該ＩＴ機器とＤＨＣＰサーバを接続し、アドレス情報取得部５７０が、ＤＨＣＰサーバを参照して当該機器に割り振られたＩＰアドレスを取得することとしたので、光スイッチ制御装置５００は、複数の異なるネットワークのＩＴ機器が光スイッチに接続された場合でも、各ＩＴ機器から自動的に機器情報（ＩＰアドレス）を取得することができる。
【０１５３】
なお、上記実施例１〜５では、光スイッチ制御装置による接続機器のアドレス取得方法について説明したが、光スイッチ制御装置は、取得した接続機器のアドレスを機器接続ポートごとに記憶することによって、光スイッチにおけるＩＴ機器同士の接続を制御することもできる。
【０１５４】
図２４は、アドレス表を用いて異なるネットワーク間の接続を禁止する方法を説明するための説明図である。同図に示すように、光スイッチ制御装置は、光スイッチに対して送信されるＩＴ機器同士を接続する要求を監視し、かかる接続要求を検知した場合は上述したアドレス表を参照し、それぞれのＩＴ機器のＩＰアドレスが接続可能か否かを判定し、接続不可の場合は、命令の送信元に対してエラーメッセージを通知するなどの手段を講じることができる。
【０１５５】
また、図２５は、アドレス表を用いて異なるネットワークをパケット転送装置により接続する方法を説明するための説明図である。同図に示すように、光スイッチ制御装置は、光スイッチに対して送信されるＩＴ機器同士を接続する要求を監視し、かかる接続要求を検知した場合は上述したアドレス表を参照し、それぞれのＩＴ機器のＩＰアドレスが異なるネットワークのアドレスであった場合は、光スイッチを制御して接続を要求された機器が接続されているポートを、ルータなどのパケット転送装置が接続されているポートに接続することによって、ＩＴ機器同士を接続することができる。
【０１５６】
また、本実施例１〜５では、物理配線切替装置に光スイッチを用いる場合について説明したが、本発明はこれに限定されるものではなく、電気スイッチなど光スイッチ以外のスイッチを用いた場合にも同様に適用することができる。
【０１５７】
また、本実施例１〜５では、光スイッチ制御装置について説明したが、光スイッチ制御装置が有する構成をソフトウェアによって実現することで、同様の機能を有する光スイッチ制御プログラムを得ることができる。そこで、この光スイッチ制御プログラムを実行するコンピュータについて説明する。
【０１５８】
図２６は、本実施例１〜５に係る光スイッチ制御プログラムを実行するコンピュータの構成を示す機能ブロック図である。同図に示すように、このコンピュータ６００は、ＲＡＭ６１０と、ＣＰＵ６２０と、ＨＤＤ６３０と、ＬＡＮインタフェース６４０と、入出力インタフェース６５０と、ＤＶＤドライブ６６０とを有する。
【０１５９】
ＲＡＭ６１０は、プログラムやプログラムの実行途中結果などを記憶するメモリであり、ＣＰＵ６２０は、ＲＡＭ６１０からプログラムを読み出して実行する中央処理装置である。
【０１６０】
ＨＤＤ６３０は、プログラムやデータを格納するディスク装置であり、ＬＡＮインタフェース６４０は、コンピュータ６００をＬＡＮ経由で他のコンピュータに接続するためのインタフェースである。このＬＡＮインタフェース６４０により、光スイッチ制御プログラムを実行するコンピュータが、光スイッチに接続される。
【０１６１】
入出力インタフェース６５０は、マウスやキーボードなどの入力装置および表示装置を接続するためのインタフェースであり、ＤＶＤドライブ６６０は、ＤＶＤの読み書きを行う装置である。
【０１６２】
そして、このコンピュータ６００において実行される光スイッチ制御プログラム６１１は、ＤＶＤに記憶され、ＤＶＤドライブ６６０によってＤＶＤから読み出されてコンピュータ６００にインストールされる。
【０１６３】
あるいは、この光スイッチ制御プログラム６１１は、ＬＡＮインタフェース６４０を介して接続された他のコンピュータシステムのデータベースなどに記憶され、これらのデータベースから読み出されてコンピュータ６００にインストールされる。
【０１６４】
そして、インストールされた光スイッチ制御プログラム６１１は、ＨＤＤ６３０に記憶され、ＲＡＭ６１０に読み出されてＣＰＵ６２０によって光スイッチ制御プロセス６２１として実行される。
【０１６５】
（付記１）複数の情報機器を接続して該情報機器間の接続切替を行う物理配線切替装置を制御する物理配線制御装置であって、
前記物理配線切替装置には異なるサブネットワークに属する情報機器が接続され、
前記異なるサブネットワークに属する情報機器の機器情報を取得する機器情報取得手段を備えたことを特徴とする物理配線制御装置。
【０１６６】
（付記２）前記異なるサブネットワークに属する情報機器と通信可能なネットワークアドレスを記憶するネットワークアドレス記憶手段をさらに備え、
前記機器情報取得手段は、前記ネットワークアドレス記憶手段によって記憶されたネットワークアドレスに基づいて自身のネットワークアドレスを変更することにより前記異なるサブネットワークに属する情報機器の機器情報を取得することを特徴とする付記１に記載の物理配線制御装置。
【０１６７】
（付記３）異なるネットワークアドレスが設定された複数の接続ポートを備え、
前記異なるサブネットワークに属する情報機器と通信可能な接続ポートを記憶する接続ポート記憶手段をさらに備え、
前記機器情報取得手段は、前記接続ポート記憶手段によって記憶された接続ポートに基づいて前記複数の接続ポートから通信に使用する接続ポートを選択することにより前記異なるサブネットワークに属する情報機器の機器情報を取得することを特徴とする付記１に記載の物理配線制御装置。
【０１６８】
（付記４）前記物理配線切替装置には、前記異なるサブネットワークに属する情報機器に応じてネットワークアドレスを変換するためのアドレス変換機器が接続され、
前記機器情報取得手段は、前記アドレス変換機器を用いて自身のネットワークアドレスを変換することにより前記異なるサブネットワークに属する情報機器の機器情報を取得することを特徴とする付記１に記載の物理配線制御装置。
【０１６９】
（付記５）前記異なるサブネットワークに属する情報機器は、前期物理配線切替装置に接続される際にネットワーク信号を発信し、
前記機器情報取得手段は、前期ネットワーク信号を検出することにより前記異なるサブネットワークに属する情報機器の機器情報を取得することを特徴とする付記１に記載の物理配線制御装置。
【０１７０】
（付記６）前記物理配線切替装置には、前記情報機器にネットワークアドレスを付与するアドレス付与機器が接続され、
前記機器情報取得手段は、前記異なるサブネットワークに属する情報機器に応じて前記情報機器と前記アドレス付与機器を接続し、該アドレス付与機器を参照することにより前記異なるネットワークに属する情報機器の機器情報を取得することを特徴とする付記１に記載の物理配線制御装置。
【０１７１】
（付記７）前記機器情報取得手段により取得された機器情報を記憶し、該記憶した機器情報に基づいて、前記物理配線切替装置に接続される情報機器間の接続可否を判定する機器接続判定手段をさらに備えたことを特徴とする付記１〜６のいずれか一つに記載の物理配線制御装置。
【０１７２】
（付記８）前記物理配線切替装置には、前記情報機器のネットワークアドレスを変換するためのアドレス変換機器が接続され、
前記機器接続判定手段は、前記物理配線切替装置に接続される情報機器間の接続可否を判定し、接続不可と判定した場合は該アドレス変換機器を介して該情報機器を接続することを特徴とする付記７に記載の物理配線制御装置。
【０１７３】
（付記９）複数の情報機器を接続して該情報機器間の接続切替を行う物理配線切替装置を制御する物理配線制御方法であって、
前記物理配線切替装置には異なるサブネットワークに属する情報機器が接続され、
前記異なるサブネットワークに属する情報機器の機器情報を取得する機器情報取得工程を含んだことを特徴とする物理配線制御方法。
【０１７４】
（付記１０）複数の情報機器を接続して該情報機器間の接続切替を行う物理配線切替装置を制御する物理配線制御プログラムであって、
前記物理配線切替装置には異なるサブネットワークに属する情報機器が接続され、
前記異なるサブネットワークに属する情報機器の機器情報を取得する機器情報取得手順をコンピュータに実行させることを特徴とする物理配線制御プログラム。
【産業上の利用可能性】
【０１７５】
以上のように、本発明に係る物理配線制御装置、物理配線制御方法および物理配線制御プログラムは、物理配線切替装置によりネットワークトポロジーを変更するネットワークシステムに有用であり、特に、複数の異なるサブネットワークから構成される大規模ネットワークシステムに適している。
【図面の簡単な説明】
【０１７６】
【図１】本実施例１に係る接続機器アドレス取得方法を説明するための説明図である。
【図２】本実施例１に係る光スイッチ制御装置の構成を示す機能ブロック図である。
【図３】本実施例１に係るアドレス情報記憶部の一例を示す図である。
【図４】本実施例１に係る光スイッチ制御装置による接続機器アドレス取得処理の処理手順を示すフローチャートである。
【図５】本実施例１に係る機器接続用ポートごとにアドレスを設定しない場合のアドレス情報記憶部の一例を示す図である。
【図６】機器接続用ポートごとにアドレスを設定しない場合の接続機器アドレス取得処理の処理手順を示すフローチャートである。
【図７】機器接続用ポートの切り替えによる判定を先に行う場合の接続機器アドレス取得処理の処理手順を示すフローチャートである。
【図８】本実施例２に係る接続機器アドレス取得方法を説明するための説明図である。
【図９】本実施例２に係る光スイッチ制御装置の構成を示す機能ブロック図である。
【図１０】本実施例２に係るアドレス情報記憶部の一例を示す図である。
【図１１】本実施例２に係る機器接続用ポートごとにアドレスを設定しない場合のアドレス情報記憶部の一例を示す図である。
【図１２】本実施例３に係る接続機器アドレス取得方法を説明するための説明図である。
【図１３】本実施例３に係る光スイッチ制御装置の構成を示す機能ブロック図である。
【図１４】本実施例３に係るアドレス情報記憶部の一例を示す図である。
【図１５】本実施例３に係る光スイッチ制御装置による接続機器アドレス取得処理の処理手順を示すフローチャートである。
【図１６】本実施例３に係る機器接続用ポートごとにアドレスを設定しない場合のアドレス情報記憶部の一例を示す図である。
【図１７】機器接続用ポートごとにアドレスを設定しない場合の接続機器アドレス取得処理の処理手順を示すフローチャートである。
【図１８】本実施例４に係る接続機器アドレス取得方法を説明するための説明図である。
【図１９】本実施例４に係る光スイッチ制御装置の構成を示す機能ブロック図である。
【図２０】本実施例４に係る光スイッチ制御装置による接続機器アドレス取得処理の処理手順を示すフローチャートである。
【図２１−１】本実施例５に係る接続機器アドレス取得方法を説明するための説明図（１）である。
【図２１−２】本実施例５に係る接続機器アドレス取得方法を説明するための説明図（２）である。
【図２２】本実施例５に係る光スイッチ制御装置の構成を示す機能ブロック図である。
【図２３】本実施例５に係る光スイッチ制御装置による接続機器アドレス取得処理の処理手順を示すフローチャートである。
【図２４】アドレス表を用いて異なるネットワーク間の接続を禁止する方法を説明するための説明図である。
【図２５】アドレス表を用いて異なるネットワークをパケット転送装置により接続する方法を説明するための説明図である。
【図２６】本実施例１〜５に係る光スイッチ制御プログラムを実行するコンピュータの構成を示す機能ブロック図である。
【符号の説明】
【０１７７】
１０1〜１０m，５０1〜５０m  ＩＴ機器
２０  光スイッチ
２１1〜２１m，２１m+1〜２１n  機器接続用ポート
２２  パワーモニタ用ポート
２３，２３1〜２３k  制御装置接続用ポート
２４  パケット転送装置出力用ポート
２５  パケット転送装置入力用ポート
２６  ＤＨＣＰサーバ用ポート
３０  パワーモニタ
４０  パケット転送装置
５１1〜５１m  ＩＴ機器パワーモニタ
６０  ＤＨＣＰサーバ
１００，２００，３００，４００，５００  光スイッチ制御装置
１１０，２１０1〜２１０k  機器情報取得用ポート
１２０  光パワー情報受信部
１３０，２３０，３３０，５３０  光スイッチ制御部
１４０，２４０，３４０  アドレス情報記憶部
１５０，２５０  制御装置ポート設定部
１６０，４６０，５６０  ＩＴ機器情報取得部
１８０，２８０，３８０，４８０，５８０  制御部
５７０  アドレス情報取得部
６００    コンピュータ
６１０    ＲＡＭ
６１１    光スイッチ制御プログラム
６２０    ＣＰＵ
６２１    光スイッチ制御プロセス
６３０    ＨＤＤ
６４０    ＬＡＮインタフェース
６５０    入出力インタフェース
６６０    ＤＶＤドライブ
【図１】
0004527650.tif 000002
【図２】
0004527650.tif 000003
【図３】
0004527650.tif 000004
【図４】
0004527650.tif 000005
【図５】
0004527650.tif 000006
【図６】
0004527650.tif 000007
【図７】
0004527650.tif 000008
【図８】
0004527650.tif 000009
【図９】
0004527650.tif 000010
【図１０】
0004527650.tif 000011
【図１１】
0004527650.tif 000012
【図１２】
0004527650.tif 000013
【図１３】
0004527650.tif 000014
【図１４】
0004527650.tif 000015
【図１５】
0004527650.tif 000016
【図１６】
0004527650.tif 000017
【図１７】
0004527650.tif 000018
【図１８】
0004527650.tif 000019
【図１９】
0004527650.tif 000020
【図２０】
0004527650.tif 000021
【図２１−１】
0004527650.tif 000022
【図２１−２】
0004527650.tif 000023
【図２２】
0004527650.tif 000024
【図２３】
0004527650.tif 000025
【図２４】
0004527650.tif 000026
【図２５】
0004527650.tif 000027
【図２６】
0004527650.tif 000028